【手続補正書】
【提出日】平成26年9月18日(2014.9.18)
【手続補正１】
【補正対象書類名】特許請求の範囲
【補正対象項目名】全文
【補正方法】変更
【補正の内容】
【特許請求の範囲】
【請求項１】
複数の媒体を収納可能な収納部と、
前記収納部に連通し、前記媒体を搬送する搬送路と、
前記搬送路に連通可能であり、前記媒体が排出される複数の排出部と、
前記媒体を排出する前記排出部を切り替える切替部と、
前記収納部から前記搬送路を経由して前記排出部へ、前記媒体を搬送する搬送部と、
前記搬送路に配置され、前記搬送部により搬送される前記媒体の情報を読み取る読取部と、
前記切替部、前記搬送部、及び、前記読取部を制御して、前記収納部に収納された前記媒体に対して、前記収納部から前記排出部への搬送、及び、搬送中の前記媒体に対する前記読取部による読み取りの処理を、実行させる処理制御部と、を備え、
前記処理制御部は、
前記媒体に対する、前記切替部、前記搬送部、及び、前記読取部のうち少なくとも１つによる処理の状況によって規定される所定の条件が成立した場合に、前記搬送路上に前記媒体が位置しているか否かにかかわらず、前記収納部に収納された次の前記媒体について前記搬送部による搬送を開始することを特徴とする媒体処理装置。
【請求項２】
前記読取部は、前記搬送部により搬送される前記媒体を磁気的に読み取る磁気読取部と、光学的に読み取る光学読取部と、を含み、
前記処理制御部は、
前記搬送路上に位置している前記媒体に対する、前記切替部、前記搬送部、前記磁気読取部、及び、前記光学読取部のうち少なくとも１つによる処理の状況によって規定される所定の条件が成立した場合に、前記搬送路上に前記媒体が位置しているか否かにかかわらず、前記収納部に収納された次の前記媒体について前記搬送部による搬送を開始することを特徴とする請求項１に記載の媒体処理装置。
【請求項３】
前記光学読取部による読み取り結果に係るデータを収容するバッファーを、備え、
前記光学読取部は、
読み取り結果に係るデータをバッファーに格納し、格納した前記データを、接続された制御装置に転送し、
前記所定の条件は、
前記収納部に収納された次の前記媒体を前記光学読取部で読み取った場合に、読み取り結果に係る前記データを前記バッファーに格納できること、という条件を含むことを特徴とする請求項２に記載の媒体処理装置。
【請求項４】
前記所定の条件は、
前記搬送路上に位置している前記媒体について、前記磁気読取部による読み取りが終了していること、という条件を含むことを特徴とする請求項２又は３に記載の媒体処理装置。
【請求項５】
前記処理制御部は、
前記搬送路上に位置している前記媒体に対する所定の処理の結果に応じて、前記切替部によって前記搬送路上に設けられた切替板を移動し、又は、移動しないことにより前記媒体が排出される前記排出部を前記所定の処理の結果に応じた前記排出部に切り替え、
前記所定の条件は、
前記収納部に収納された次の前記媒体の搬送を開始した後に、前記搬送路上に位置している前記媒体について、前記切替板の移動が発生しないこと、という条件を含むことを特徴とする請求項１ないし４のいずれかに記載の媒体処理装置。
【請求項６】
前記処理制御部は、
前記切替部による切り替え後の前記排出部に前記媒体を排出すべく、前記媒体をバックフィード可能に構成され、
前記所定の条件は、
前記収納部に収納された次の前記媒体の搬送を開始した後に、前記搬送路上に位置している前記媒体について、前記バックフィードが発生しないこと、という条件を含むことを特徴とする請求項１ないし５のいずれかに記載の媒体処理装置。
【請求項７】
複数の媒体を収納可能な収納部と、
前記収納部に連通し、前記媒体を搬送する搬送路と、
前記搬送路に連通可能であり、前記媒体が排出される複数の排出部と、
前記媒体を排出する前記排出部を切り替える切替部と、
前記収納部から前記搬送路を経由して前記排出部へ、前記媒体を搬送する搬送部と、
前記搬送路に配置され、前記搬送部により搬送される前記媒体の情報を読み取る読取部と、を備える媒体処理装置の制御方法であって、
前記媒体に対する、前記切替部、前記搬送部、及び、前記読取部のうち少なくとも１つによる処理の状況によって規定される所定の条件が成立したか否かを判別し、成立した場合に前記搬送路上に前記媒体が位置しているか否かにかかわらず、前記収納部に収納された次の前記媒体について前記搬送部による搬送を開始することを特徴とする媒体処理装置の制御方法。
【請求項８】
請求項７に記載の媒体処理装置の制御方法であって、
前記読取部は、前記搬送部により搬送される前記媒体を磁気的に読み取る磁気読取部と光学的に読み取る光学読取部と、含み、
前記媒体に対する、前記切替部、前記搬送部、前記磁気読取部、及び、前記光学読取部のうち少なくとも１つによる処理の状況によって規定される所定の条件が成立したか否かを判別し、成立した場合に前記搬送路上に前記媒体が位置しているか否かにかかわらず、前記収納部に収納された次の前記媒体について前記搬送部による搬送を開始することを特徴とする媒体処理装置の制御方法。
【請求項９】
複数の媒体を収納可能な収納部と、
前記収納部に連通し、前記媒体を搬送する搬送路と、
前記搬送路に連通可能であり、前記媒体が排出される複数の排出部と、
前記媒体を排出する前記排出部を切り替える切替部と、
前記収納部から前記搬送路を経由して前記排出部へ、前記媒体を搬送する搬送部と、
前記搬送路に配置され、前記搬送部により搬送される前記媒体の情報を読み取る読取部と、を備える媒体処理装置の各部を制御する制御部により実行されるプログラムであって、
前記制御部を、
前記媒体に対する、前記切替部、前記搬送部、前記読取部のうち少なくとも１つによる処理の状況によって規定される所定の条件が成立した場合に、前記搬送路上に前記媒体が位置しているか否かにかかわらず、前記収納部に収納された次の前記媒体について前記搬送部による搬送を開始する処理制御部として機能させることを特徴とするプログラム。
【手続補正２】
【補正対象書類名】明細書
【補正対象項目名】０００５
【補正方法】変更
【補正の内容】
【０００５】
上記目的を達成するために、本発明は、複数の媒体を収納可能な収納部と、前記収納部に連通し、前記媒体を搬送する搬送路と、前記搬送路に連通可能であり、前記媒体が排出される複数の排出部と、前記媒体を排出する前記排出部を切り替える切替部と、前記収納部から前記搬送路を経由して前記排出部へ、前記媒体を搬送する搬送部と、前記搬送路に配置され、前記搬送部により搬送される前記媒体の情報を読み取る読取部と、前記切替部、前記搬送部、及び、前記読取部を制御して、前記収納部に収納された前記媒体に対して、前記収納部から前記排出部への搬送、及び、搬送中の前記媒体に対する前記読取部による読み取りの処理を、実行させる処理制御部と、を備え、前記処理制御部は、前記媒体に対する、前記切替部、前記搬送部、及び、前記読取部のうち少なくとも１つによる処理の状況によって規定される所定の条件が成立した場合に、前記搬送路上に前記媒体が位置しているか否かにかかわらず、前記収納部に収納された次の前記媒体について前記搬送部による搬送を開始することを特徴とする。
ここで、収納部に収納された複数の媒体について、１の媒体に対する一連の処理の開始後、できるだけ早い段階で次の媒体に対して一連の処理を開始できれば、複数の媒体の処理に係るスループットを向上することが可能である。これを踏まえ、上記構成によれば、搬送路上に位置している媒体に対する一連の処理が完了したことを、次の媒体の処理の開始のトリガーとするのではなく、切替部、搬送部、及び、読取部のうち少なくとも１つによる処理の状況によって規定される所定の条件が成立したことを、次の媒体の処理の開始のトリガーとするため、搬送路上に媒体が位置している状況であっても、可能な場合は、次の媒体に対する処理を開始することが可能となり、できるだけ早い段階で次の媒体に対して処理が開始されることとなり、複数の媒体の処理に係るスループットを向上することが可能となる。
【手続補正３】
【補正対象書類名】明細書
【補正対象項目名】０００７
【補正方法】変更
【補正の内容】
【０００７】
また、本発明は、前記光学読取部による読み取り結果に係るデータを収容するバッファーを、備え、前記光学読取部は、読み取り結果に係るデータをバッファーに格納し、格納した前記データを、接続された制御装置に転送し、前記所定の条件は、前記収納部に収納された次の前記媒体を前記光学読取部で読み取った場合に、読み取り結果に係る前記データを前記バッファーに格納できること、という条件を含むことを特徴とする。
この構成によれば、収納部に収納された媒体の搬送を開始する条件に、当該媒体を読取部で読み取った場合に、読み取り結果に係るデータをバッファーに格納できること、という条件が含まれているため、当該媒体について、空き領域が確保できない等の理由により読取部による読み取り結果に係るデータをバッファーに格納できない状態で搬送が開始されることを的確に防止しつつ、当該媒体の搬送が開始されるタイミングを早めることができ、複数の媒体の処理に係るスループットを向上することが可能となる。
【手続補正４】
【補正対象書類名】明細書
【補正対象項目名】０００８
【補正方法】変更
【補正の内容】
【０００８】
また、本発明は、前記所定の条件は、前記搬送路上に位置している前記媒体について、前記磁気読取部による読み取りが終了していること、という条件を含むことを特徴とする。
ここで、収納部に収納された媒体を搬送路に送り出す場合、送り出しに係る動作に伴って、磁気読取部による読み取りに悪影響を与えるノイズが発生する。そして、媒体の送り出しは定期的に行われるものではなく、また、送り出しごとに発生するノイズの態様が異なるため、ノイズによる磁気的な読み取りへの悪影響の対策として、例えば、送り出しが行われる度に逆位相の信号によりノイズを除去する等の処置を行うことは適切でない。以上を踏まえ、上記構成によれば、収納部に収納された媒体の搬送を開始する条件に、搬送路上に位置している媒体について、少なくとも、磁気読取部による読み取りが終了していること、という条件が含まれているため、収納部に収納された媒体を送り出すことに起因して磁気読取部による読み取りに悪影響が及ぶことを防止した上で、当該媒体の搬送が開始されるタイミングを早めることができ、複数の媒体の処理に係るスループットを向上することが可能となる。
【手続補正５】
【補正対象書類名】明細書
【補正対象項目名】０００９
【補正方法】変更
【補正の内容】
【０００９】
また、本発明は、前記処理制御部は、前記搬送路上に位置している前記媒体に対する所定の処理の結果に応じて、前記切替部によって前記搬送路上に設けられた切替板を移動し、又は、移動しないことにより前記媒体が排出される前記排出部を前記所定の処理の結果に応じた前記排出部に切り替え、前記所定の条件は、前記収納部に収納された次の前記媒体の搬送を開始した後に、前記搬送路上に位置している前記媒体について、前記切替板の移動が発生しないこと、という条件を含むことを特徴とする。
ここで、切替板の移動が行われる場合、当該移動に伴って、磁気読取部による読み取りに悪影響を与えるノイズが発生する。そして、切替板の移動は定期的に行われるものではなく、また、送り出しごとに発生するノイズの態様が異なるため、ノイズによる磁気的な読み取りへの悪影響の対策として、例えば、切替板の移動が行われる度に逆位相の信号によりノイズを除去する等の処置を行うことは適切でない。以上を踏まえ、上記構成によれば、収納部に収納された媒体の搬送を開始する条件に、搬送路上に位置している媒体について、切替板の移動が発生しないこと、という条件が含まれているため、収納部に収納された媒体に対して磁気読取部による読み取り中に切替板の移動が発生し、これにより、磁気読取部による読み取りに悪影響が及ぶことを防止した上で、当該媒体の搬送が開始されるタイミングを早めることができ、複数の媒体の処理に係るスループットを向上することが可能となる。
【手続補正６】
【補正対象書類名】明細書
【補正対象項目名】００１０
【補正方法】変更
【補正の内容】
【００１０】
また、本発明は、前記処理制御部は、前記切替部による切り替え後の前記排出部に前記媒体を排出すべく、前記媒体をバックフィード可能に構成され、前記所定の条件は、前記収納部に収納された次の前記媒体の搬送を開始した後に、前記搬送路上に位置している前記媒体について、前記バックフィードが発生しないこと、という条件を含むことを特徴とする。
この構成によれば、収納部に収納された媒体の搬送を開始する条件に、搬送路上に位置している媒体について、バックフィードが発生しないこと、という条件が含まれているため、収納部に収納された媒体を搬送路に送り出して処理を開始した後、搬送路上に位置する他の媒体についてバックフィードが発生し、これに起因して何らかのエラーが発生することを防止できる。
【手続補正７】
【補正対象書類名】明細書
【補正対象項目名】００１１
【補正方法】変更
【補正の内容】
【００１１】
また、上記目的を達成するために、本発明は、複数の媒体を収納可能な収納部と、前記収納部に連通し、前記媒体を搬送する搬送路と、前記搬送路に連通可能であり、前記媒体が排出される複数の排出部と、前記媒体を排出する前記排出部を切り替える切替部と、前記収納部から前記搬送路を経由して前記排出部へ、前記媒体を搬送する搬送部と、前記搬送路に配置され、前記搬送部により搬送される前記媒体の情報を読み取る読取部と、を備える媒体処理装置の制御方法であって、前記媒体に対する、前記切替部、前記搬送部、及び、前記読取部のうち少なくとも１つによる処理の状況によって規定される所定の条件が成立したか否かを判別し、成立した場合に前記搬送路上に前記媒体が位置しているか否かにかかわらず、前記収納部に収納された次の前記媒体について前記搬送部による搬送を開始することを特徴とする。
この制御方法によれば、搬送路上に位置している媒体に対する一連の処理が完了したことを、次の媒体の処理の開始のトリガーとするのではなく、切替部、搬送部、及び、読取部のうち少なくとも１つによる処理の状況によって規定される所定の条件が成立したことを、次の媒体の処理の開始のトリガーとするため、搬送路上に媒体が位置している状況であっても、可能な場合は、次の媒体に対する処理を開始することが可能となり、できるだけ早い段階で次の媒体に対して処理が開始されることとなり、複数の媒体の処理に係るスループットを向上することが可能となる。
【手続補正８】
【補正対象書類名】明細書
【補正対象項目名】００１２
【補正方法】変更
【補正の内容】
【００１２】
また、本発明は、前記読取部は、前記搬送部により搬送される前記媒体を磁気的に読み取る磁気読取部と光学的に読み取る光学読取部と、含み、前記媒体に対する、前記切替部、前記搬送部、前記磁気読取部、及び、前記光学読取部のうち少なくとも１つによる処理の状況によって規定される所定の条件が成立したか否かを判別し、成立した場合に前記搬送路上に前記媒体が位置しているか否かにかかわらず、前記収納部に収納された次の前記媒体について前記搬送部による搬送を開始することを特徴とする。
この制御方法によれば、搬送路上に位置している媒体に対する一連の処理が完了したことを、次の媒体の処理の開始のトリガーとするのではなく、切替部、搬送部、磁気読取部、及び、光学読取部のうち少なくとも１つによる処理の状況によって規定される所定の条件が成立したことを、次の媒体の処理の開始のトリガーとするため、搬送路上に媒体が位置している状況であっても、可能な場合は、次の媒体に対する処理を開始することが可能となり、できるだけ早い段階で次の媒体に対して処理が開始されることとなり、複数の媒体の処理に係るスループットを向上することが可能となる。
【手続補正９】
【補正対象書類名】明細書
【補正対象項目名】００１３
【補正方法】変更
【補正の内容】
【００１３】
また、上記目的を達成するために、本発明は、複数の媒体を収納可能な収納部と、
前記収納部に連通し、前記媒体を搬送する搬送路と、前記搬送路に連通可能であり、前記媒体が排出される複数の排出部と、前記媒体を排出する前記排出部を切り替える切替部と、前記収納部から前記搬送路を経由して前記排出部へ、前記媒体を搬送する搬送部と、前記搬送路に配置され、前記搬送部により搬送される前記媒体の情報を読み取る読取部と、を備える媒体処理装置の各部を制御する制御部により実行されるプログラムであって、前記制御部を、前記媒体に対する、前記切替部、前記搬送部、前記読取部のうち少なくとも１つによる処理の状況によって規定される所定の条件が成立した場合に、前記搬送路上に前記媒体が位置しているか否かにかかわらず、前記収納部に収納された次の前記媒体について前記搬送部による搬送を開始する処理制御部として機能させることを特徴とする。
このプログラムを実行すれば、搬送路上に位置している媒体に対する一連の処理が完了したことを、次の媒体の処理の開始のトリガーとするのではなく、切替部、搬送部、磁気読取部、及び、光学読取部のうち少なくとも１つによる処理の状況によって規定される所定の条件が成立したことを、次の媒体の処理の開始のトリガーとするため、搬送路上に媒体が位置している状況であっても、可能な場合は、次の媒体に対する処理を開始することが可能となり、できるだけ早い段階で次の媒体に対して処理が開始されることとなり、複数の媒体の処理に係るスループットを向上することが可能となる。